(57)【特許請求の範囲】
【請求項１】
心音波形及び／又は呼吸の波形パターンを検出する波形検出手段と、この波形検出手段で検出された心音波形パターン及び／又は呼吸波形パターンと予め登録されている登録心音波形パターン及び／又は呼吸波形パターンとを比較し判別する手段と、を有して個人認証装置を構成し、上記波形検出手段は、内部に発泡性樹脂並びに空気が封入されたエアーパッドと、該エアーパッド内の空気圧の変化を検知する圧電センサと、備えて構成し、前記圧電センサのエアーパッド側に形成された室内の空気圧は封入され、他側は大気に開放し、上記空気封入室側と大気開放側とで圧力差が形成されるように構成し、該波形検出手段で検出された波形パターンと登録波形パターンとが一致したときに、同一人であることを認証することを特徴とする心音波形及び／又は呼吸波形パターンを利用した個人認証システム。
【請求項２】
前記エアーパッドの身体接触面の反対側面には、板材を配設し、該板材は、一方向に厚さ寸法が減少する楔状に形成されていることを特徴とする請求項１に記載の心音波形及び／又は呼吸波形パターンを利用した個人認証システム。
【発明の詳細な説明】
【技術分野】
【０００１】
この発明は、自律的に変化する心音の波形パターン及び／又は呼吸波形パターンを利用した個人認証システムに関する。尚、この発明において、「心音」とは、心臓の搏動により生じる音で、心室の収縮・弛緩に伴って反復して発する音をいい、心拍１周期ごとに聞こえる２つの音であり、弁膜の閉音に由来する。低くやや長い第１音とやや高く短い第２音が存在する。また、上記第１音とは、心室収縮期の始めに、房室弁（僧帽弁と三尖弁）が閉じる際に発する音をいい、第２音とは、心室収縮期の直後に、動脈弁（大動脈弁と肺動脈弁）が閉じる際に発する音をいう。心音は、弁の開放や拍動に関係しており、それらから発生する短い振動の総称である。一方「心拍」とは、心臓の鼓動（ピッチ）をいい、心拍は、体表面からは心筋の電気的活動が記録される心電図で計測され、一回の拍動にともない記録される筋電図は大きく三つの波（Ｐ波、ＱＲＳ波、Ｔ波）に分類される点で、本明細書でいう「心音」とは区別される。
【背景技術】
【０００２】
近年、急速な情報化社会の進展に伴い、建物や部屋から情報機器、ネットワークまで、個人認証技術が要求される状況は急速に増えている。認証が必要な状況は、小人数から不特定多数が利用する場まで多岐にわたっている。特に、不特定多数の人間が利用する装置や入退出管理における個人認証技術には、接触性が低く、認証される人（以下、本人という。）が衛生面から不快感を抱かないことと、偽造ができないことが重要になる。
【０００３】
現在利用されている主な個人認証の手段には、免許証などの本人所有物による認証をはじめ、暗証番号、パスワードによる認証、指紋や虹彩などの生物学的特徴に基づくバイオメトリクスを利用した個人認証が提案されている。
バイオメトリクス（Ｂｉｏｍｅｔｒｉｃｓ）とは「身体測定学」を意味し、このバイオメトリクスを利用した個人認証とは、他人に貸すことが不可能な指紋，声紋，虹彩，顔，署名などさまざまな肉体的および行動的特徴を個人認証に利用することを意味する。長所として、バイオメトリクスによる個人認証は、鍵やクレジットカードなどの「所有物による認証」、暗証番号など「知識による認証」と比較して、紛失しない、盗まれない、忘れない、偽造・変造されないといった利点がある。身体の一部あるいは行動による認証のため、物を携帯する必要がほとんどなく、本人であることを証明する情報を記憶する必要がない。また、一次情報（身体の特徴など）を盗まれる心配がほとんどない、という長所を有している。
【０００４】
【非特許文献１】Ｂａｔｅｓ  Ｐｈｙｓｉｃａｌ  Ｅｘａｍｉｎａｔｉｏｎ．  ７ｅｄ（３，Ｐ２８２）
【０００５】
【非特許文献２】内科診断学[９１，Ｐ２０９]
【０００６】
【非特許文献３】Ｌａｎｇｅ  Ｃｌｉｎｉｃａｌ  Ｃａｒｄｉｏｌｏｇｙ，６ｅｄ[６，Ｐ５８]
【０００７】
【非特許文献４】医科生理学展望[９５，Ｐ５６１]
【発明の開示】
【発明が解決しようとする課題】
【０００８】
ところで、バイオメトリクスを利用した従来の個人認証法として、心電図データを採取する心拍・心電図計測システムが公知である。このシステムでは、電極板が身体から離れた場合には計測できなくなり、また、電極を被験者の身体に２４時間貼り付け続けなければならないため、被験者の行動の自由度が拘束され、これが心理的な負担となって、被験者の２４時間における真の身体反応データ（被験者に心理的な負担を掛けていない状態をいう。以下、同じ。）をリアルタイムで採取することは、厳密な意味において不可能であり、汎用性に乏しい、という課題を有していた。
【０００９】
このように、従来の個人認証技術にあっては、多くの不具合があり、この不具合が解消されていないのが現状であるが、これに加えて、従来の上記各個人認証技術を利用した各種システムでは、一度個人認証が承認された後は、再度同じ個人認証を実施しないシステムとなっている。
【００１０】
このため、従来の個人認証システムにおいては、他人が本人に成り変ってそのシステムを利用し続ける（なりすまし）ことは可能である。例えば、コンピュータの起動時に一度パスワードを入力し、これが認証された後の当該コンピュータを本人以外の者が使用するのを阻止する手段が普及していないのが現状である。
【００１１】
即ち、このような一度だけの認証システムでは、最も優れていると言われる上記バイオメトリクスを利用した認証システムにおいても、一度認証された後は、本人以外の者が当該システムを利用しても、これを検知しその利用を阻止する手段が全く講じられていないのが現状であり、パスワードや指紋等をコピーする不法行為が横行するのを完全に阻止できていないのが現状である。
【００１２】
この発明は、かかる現状に鑑み創案されたものであって、その目的とするところは、従来は全く検討されていなかった、個人の意思ではコントロールが不可能な自律動である心音の波形パターン及び／又は呼吸波形パターンを、本人の心音及び／又は呼吸に基づいてリアルタイムに検出し、これを予め登録されている本人の心音波形及び／又は呼吸波形パターンと照合させることで、個人認証を迅速かつ高精度に判別することができる個人認証システムを提供しようとするものである。
【課題を解決するための手段】
【００１３】
上記目的を達成するため、本発明に係る心音波形及び／又は呼吸波形パターンを利用した個人認証システムは、以下のように構成したことを特徴とするものである。
【００１４】
即ち、請求項１に記載の発明である心音波形及び／又は呼吸波形パターンを利用した個人認証システムは、心音波形及び／又は呼吸の波形パターンを検出する波形検出手段と、この波形検出手段で検出された心音波形パターン及び／又は呼吸波形パターンと予め登録されている登録心音波形パターン及び／又は呼吸波形パターンとを比較し判別する手段と、を有して個人認証装置を構成し、上記波形検出手段は、内部に発泡性樹脂並びに空気が封入されたエアーパッドと、該エアーパッド内の空気圧の変化を検知する圧電センサと、備えて構成し、前記圧電センサのエアーパッド側に形成された室内の空気圧は封入され、他側は大気に開放し、上記空気封入室側と大気開放側とで圧力差が形成されるように構成し、該波形検出手段で検出された波形パターンと登録波形パターンとが一致したときに、同一人であることを認証することを特徴とする。
【００１５】
次に、請求項２に記載の発明は、請求の範囲１に記載の心音波形及び／又は呼吸波形パターンを利用した個人認証システムを技術的前提とし、前記エアーパッドの身体接触面の反対側面には、板材を配設し、該板材は、一方向に厚さ寸法が減少する楔状に形成されていることを特徴とする。
【発明の効果】
【００１６】
請求項１に記載の発明によれば、心音波形及び／又は呼吸の波形パターンを検出する波形検出手段と、この波形検出手段で検出された心音波形パターン及び／又は呼吸波形パターンと予め登録されている登録心音波形パターン及び／又は呼吸波形パターンとを比較し判別する手段と、を有して個人認証装置を構成し、上記検出された波形パターンと登録波形パターンとが一致したときに、同一人であることを認証するように構成したので、個人の意思ではコントロールが不可能な自律動である心音又は呼吸波形或はこれらを組み合わせることで、当該被認証者の予め登録された心音波形及び／又は呼吸波形パターンに基づいてリアルタイムで簡単に照合させることができ、当該被認証者の個人認証を、迅速かつ非常に高精度で判別することができる。
【００１７】
そして、上記波形検出手段は、内部に発泡性樹脂並びに空気が封入されたエアーパッドと、該エアーパッド側に形成された室内の空気圧の変化を検知する圧電センサと、備えて構成したので、該エアーパッドを、例えば、衣服と身体との間に配置させることにより、心音（心臓の脈動による振動）の変化を確実に検出することができ、しかも、前記圧電センサのエアーパッド側を気密に保持し、他側は大気に開放するように構成して上記空気封入室側と大気開放側とで圧力差が形成されるように構成したので、エアーパッドに加えられる心音波形及び／又は呼吸波形パターンによる微妙な圧力変化を、忠実に圧電素子へと伝えることができるので、心音波形及び／又は呼吸波形データを高精度に抽出することができ、しかも、上記検出は、直接肌に接触させたり肌を露出させることなく検出することができるため、簡単に上記検出作業を被個人認証者の身体を拘束せずに行うことができる。
【００１８】
次に、請求項２に記載の発明によれば、前記エアーパッドの身体接触面の反対側面には、板材を配設し、該板材を、一方向に厚さ寸法が減少する楔状に形成したので、心音波形及び／又は呼吸による圧力変化を計測する部分は可動部のみとなり、上記板部は、計測には関与しないので、連続する心音又は呼吸の変化を高感度で確実に検出することができると共に、身体のどの部分にエアーパッドの可動側が当たっても、上記楔型の板材によって可動側が身体方向に自然に押し付けられて身体に密着し、内部の空気圧を均一化させることができるので、心音波形及び呼吸の微妙な変化を、より高感度で確実に検出することができる。
【発明を実施するための最良の形態】
【００１９】
以下、本発明の実施の形態を、添付図面を用いて説明する。
【００２０】
図１乃至図１２は、本発明に係る心音波形及び／又は呼吸波形パターンを利用した個人認証システムを実現するために用いられる波形検出装置の一実施例を示しており、図１は本発明に係る心音波形及び／又は呼吸波形パターンを利用した個人認証システムを実現するために用いられる波形検出装置のセンサ部の一構成例を示す一部断面平面図を、図２は図１に示した心音検出センサの図１Ａ−Ａ線に沿う断面図を、図３は図１に示した心音検出センサの図１Ｂ−Ｂ線に沿う断面図を、図４は波形検出装置の構成例を示すブロック図を、図５は心音波形を示す波形図を、図６は呼吸波形および心音波形の検出例を示す図を、図７は波形検出装置の基本的構成を示すブロック図を、図８は波形検出装置をコンピュータのマウスに配設した場合の断面図を夫々示している。
【００２１】
本実施例に係る波形検出装置は、個人認証の対象である本人１の指や手等の身体が接触する部位に取り付けられた心音・呼吸検出センサ２０を備えて構成されており、該心音・呼吸検出センサ２０は、発泡樹脂として内部に含気スポンジ等の発泡ウレタン樹脂２３が封入されたエアーパッド２１と、該エアーパッド２１内の空気圧の変化を検知する圧電センサ２４と、該圧電センサ２４とエアーパッド２１内を気密状態を保持して連通接続する可撓性を有するパイプ２５と、電源である圧電発電装置（図示せず）と、から構成されている。
【００２２】
発泡ウレタン樹脂２３は、エアーパッド２１内を一定の膨張状態を保つようにエアーパッド２１内に充填されており、エアーパッド２１が外力により変形した後、該外力が作用しなくなったときに、素早く元の膨張状態に復元するように作用する。
【００２３】
また、上記エアーパッド２１は、平面形状が２枚の表皮２２，２３で形成された矩形の袋状体で構成されており、その気密性が保持されるように、両表皮２２，２３の周縁部が気密性を保持できる接着剤で貼合されて形成されている。尚、このエアーパッド２１の表皮２２，２３は、例えば、ゴムや軟質合成樹脂等の気密性に優れた材質を用いるのが望ましく、また、より気密性を高めるためには、複数層で形成するのが望ましい。
【００２４】
さらに、上記エアーパッド２１の内部には、図２と図３に示すように、硬質の板材２８が配置され、この板材２８は、一方向に厚さ寸法が減少する楔状に形成されている。このため、エアーパッド２１を、例えば、衣服と身体との間に配置した場合には、該エアーパッド２１の可動側（表皮側）が身体側に配置されるので、心臓の脈動変化及び呼吸に伴うエアーパッド２１内の空気の圧力変化を確実に採取することができ、その結果、波形検出装置１の感度を良好なものとすることができると共に、該エアーパッド２１を衣服のポケットなどに挿入して身体に装着した場合、該エアーパッド２１の可動側は、凹凸がある身体部分であっても、上記楔型の板材２８によって可動側が身体方向に自然に押し付けられて身体に密着するので、心音波形及び／又は呼吸波形パターンの検出感度をより向上させることができる。尚、本実施例では、図１に示すように、圧電センサ２４のエアーパッド側２４Ａを気密に保持し、他側２４Ｂは大気に開放するように構成することで、空気封入室側と大気側とで圧力差が生じるように構成し、エアーパッド２１に加えられる心音振動や呼吸振動による微妙な圧力変化を確実に圧電センサ２４へと伝えることができるので、心音波形及び／又は呼吸波形データを高精度に抽出することができる。また、上記実施例では、圧電センサ２４のエアーパッド側２４Ａを、気密を保持するように構成した場合を例にとり説明したが、この発明にあってはこれに限定されるものではなく、圧電センサ２４が取り付けられたセンサ部２４Ｃの空気封入室側と大気側とを連通させる微細な孔２４Ｄを貫通形成し、空気封入室側のエアーを、抵抗を持たせて抜けるように構成することもでき、この場合には、押圧され収縮した発泡ウレタン樹脂２３が、気密状態では元に戻らなくなるのを防止し、スムーズに元の状態に復帰させることができる。
【００２５】
また、この実施例において、上記エアーパッド２１には、空気圧補充のためのエアーポンプ（図示せず）が連通接続可能な流路２７が形成されていると共に、該流路２７には、エアーパッド２１内の空気の流出を防止する逆止弁（図示せず）が配設されている。これは、エアーパッド２１と圧電センサ２４とを気密状態で連結したとしても、経時使用によりエアーパッド２１内の圧力が低下するため、前記エアーポンプで圧力を一定値まで昇圧させることができるように構成されている。尚、上記エアーポンプによってエアーパッド２１内の圧力が一定値となったときには、例えば、上記逆止弁によってそれ以上昇圧しないように構成するのが望ましい。
【００２６】
次に、上記圧電センサ２４は、エアーパッド２１内の空気圧の変動を検知する公知の圧電圧力センサが用いられる。
【００２７】
そして、この実施例では、上記したように、圧電センサ２４を、上記パイプ２５の先端部に連通接続されたセンサ部２４Ｃの室内２４Ｆに配設されており、該圧電センサ２４によって上記室内を形成する底部２４Ｅに開設されてなる穴部２４Ｇを接着剤を介して閉塞するように取り付けられている。
【００２８】
従って、上記圧電センサ２４のエアーパッド側２４Ａに形成された室内２４Ｆは、空気圧を保持するように構成され、かつ、圧電センサ２４の他側は、上記穴部２４Ｇを介して大気側と連通し、圧電センサ２４の空気封入室側と大気側とで圧力差が形成されるように構成されている。このように圧電センサ２４の空気封入室側と大気側とで圧力差が生じるように構成することで、エアーパッド２１に加えられた心音振動及び呼吸振動を確実に圧電センサ２４で捕らえることができる。
【００２９】
次に、前記心音・呼吸検出センサ２０からの信号を、心音波形及び／又は呼吸波形パターンとして出力する心音波形及び／又は呼吸波形の出力手段１２について説明する。
【００３０】
図４は、該出力手段１２の概略的な構成を示しており、該出力手段１２は、エアーパッド２１および圧電センサ２４からなる心音・呼吸検出センサ２０で検出された心音や呼吸の波形を検出する波形検出回路１２１と、心音波形と呼吸波形とを分離する心音・呼吸波形分離手段１２２と、から構成されている。
【００３１】
そして、この波形分離回路１２２は、後記する比較回路１３に接続されており、誤動作・誤判定が防止されるように構成されている（心音波形と呼吸波形の分離のためのアルゴリズムについては、ＰＣＴ出願番号ＰＣＴ／０３／０５７１１参照）。また、上記検出された心音波形・呼吸波形データは、内蔵されている通信回路（図示せず）を介して伝送することができるように構成することもできる。勿論、この発明にあっては、心音・呼吸検出センサ２０によって検出され分離された心音波形のみを個人認証手段として用い、或は、呼吸波形のみを個人認証手段として用い、または、両方の波形により個人認証を行うように構成することができる。
【００３２】
また、本発明において、上記心音波形や呼吸波形の比較は、公知の一般的な比較法を応用して適用することができる。例えば、上記心音波形や呼吸波形の比較法として、図５に示すように、１音と２音とで構成される心音を、１音と２音の振幅比（ＡとＢ）を比較したり、時間幅を比較することで同一波形であるかの比較をすることができる。また、１音と２音に含まれる波形の特徴点ａを抽出して比較してもよい。さらに、ＦＦＴ（Ｆａｓｔ  Ｆｏｕｒｉｅｒ  Ｔｒａｎｓｆｏｒｍ：フーリエ変換法）を使って、心音に含まれる周波数成分を時間軸変換したデータを比較してもよい。またさらに、心音変動のうち、ゆっくりとした周期的ゆらぎ（サーカディアンリズム）を検出して比較する方法もある。
【００３３】
このようにして得られた心音波形信号・呼吸波形信号は、図６に示す比較回路１３に送出された後、判定出力手段１４へと送出される。尚、図６中、符号１６は情報格納手段を示しており、該情報格納手段１６は、磁気テープ、磁気ディスク、光ディスク、固体メモリ、ＩＣチップ、マイクロチップ等、公知の任意のものを使用できる。
【００３４】
上記比較回路１３は、出力手段１２からの検出された心音波形及び／又は呼吸波形と上記情報格納手段１６に予め登録されている本人の心音波形及び／又は呼吸波形パターンとを比較し、これを判定した結果を判定出力手段１４へと送る。
【００３５】
判定出力手段１４では、出力手段１２からの検出された心音波形及び／又は呼吸波形と上記情報格納手段１６に予め登録されている本人の心音波形及び／又は呼吸波形パターンとが一致した場合と不一致の場合の情報を、当該個人情報が必要な機器類へと送り、該機器類は、それぞれの判定に基づく必要な処理を行うことで、個人認証作業が終了する。
【００３６】
このように、各種装置や各種器具或は各種システムの情報格納手段に、本人の心音波形及び／又は呼吸波形パターンを記録しておくことにより、個人認証が必要なときに、この記録された心音波形及び／又は呼吸波形パターンと、リアルタイムに検出される心音波形及び／又は呼吸波形とを比較し照合することで、個人認証を簡単なシステムであっても、極めて高精度に判別し実施することができる。
【００３７】
このように構成されてなる心音・呼吸検出センサ２０を備えた波形検出装置は、例えば、図９に示すように、コンピュータに接続されたマウスＭに組み込み、このマウスＭに組み込まれた心音・呼吸検出センサ２０で検出される心音波形及び／又は呼吸波形を、コンピュータ本体（図示せず）側に登録されている本人の心音波形及び／又は呼吸波形パターンと比較し、これが一致した場合にのみ、当該コンピュータを使用することができ、一致しなかった場合には、当該コンピュータの電源を自動的にＯＦＦして、特定の方法により再起動しなければ、当該コンピュータを使用することができないように構成することができる。そして、上記個人認証を連続的に実施し、本人がマウスＭに指や手を触れ続けていなければ継続使用することができないように構成することもでき、コンピュータの使用中に、異なる心音及び／又は呼吸が検出されたときには、直ちに当該コンピュータを自動的にログオフして、その後の継続使用を強制的に禁止させることができる。勿論、この場合には、マウスＭに指や手を触れ続けていなければならない、という連続性ではなく、本人が一度マウスＭに触れた後、手や指を離しても、次にマウスＭに触れたときの人物が、本人であればよい、という連続性も含まれる。
【００３８】
また、上記心音・呼吸検出センサ２０の配設部位は、上記マウスＭに限定されるものではなく、他の入力手段、例えば、キーボードの各キィーボタン、コンピュータの手の平が接触する部位或はコンピュータ用タブレットに配設しても同様の作用効果が得られる。
【００３９】
さらに、この発明にあっては、前記個人認証処理を、本人の身体が前記心音・呼吸検出センサ２０に触れている間に２回以上実施されるように構成し、心音波形及び／又は呼吸波形パターンが継続して検出され個人認証が２回以上連続しなければ、同一人による使用とは認められないように構成することもでき、その後の当該コンピュータの使用を阻止する等の不正使用対策を講じることが可能となる。
【００４０】
勿論、上記個人認証作業を、前記心音・呼吸検出センサ２０が連続して複数回検出し、これら検出された心音波形及び／又は呼吸波形パターンと登録心音波形及び／又は呼吸波形パターンとを、任意のタイミングで２回以上比較して判別するように構成してもよい。この場合には、個人認証のタイミングが任意で予測不能であるため、より確実に不正使用を防止することができる。尚、この実施例において「任意」とは、「一定時間毎」以外の全てのタイミングをいい、不規則なタイミングが連続する場合や、アトランダムなタイミングの個人認証が連続する場合等も含むものとする。
【００４１】
また、この実施例において、上記認定作業は、前記心音・呼吸検出センサ２０が連続して検出した心音波形及び／又は呼吸波形と登録心音波形及び／又は呼吸波形パターンとを、一定時間毎（例えば、心臓の脈動間隔毎）に複数回比較し判別するように構成してもよい。
【００４２】
この実施例に係る心音波形及び／又は呼吸波形パターンを利用した個人認証システムは、以上説明したように、心音・呼吸検出センサ２０で検出された心音波波形及び／又は呼吸形パターンと登録心音波形及び／又は呼吸波形パターンとが一致したときに、同一人であることを認証するように構成したので、意思ではコントロールが不可能な自律作用による心臓の脈動によって発生する心音と完全には自律作用ではない呼吸を利用し、該心音波形及び／又は呼吸波形は個人によって異なる波形パターンを有しているので、これを比較判別することで確実に個人認証を行なうことができ、しかも、この心音波形及び／又は呼吸波形パターンによる認証は、物を携帯する必要がなく、本人であることを証明する情報を記憶する必要もなく、また、盗まれる心配がなく、紛失しない、盗まれない、忘れない、偽造・変造されないといった効果を有する。
【００４３】
また、一度本人認証がなされた後であっても、その後の各種装置、各種器具或は各種システムの使用継続の認否を連続して行なうことで、これらの不正使用を従来の個人認証とは比較にならないレベルで阻止することができる。
【００４４】
さらに、この発明にあっては、前記心音・呼吸検出センサ２０よって検出された本人の心音波形及び／又は呼吸波形をデータとして逐一記録して保存し、該記録データを解析する学習機能手段を設けることで、本人の健康状態や体調の変化によって心音波形及び／又は呼吸波形パターンが変化しても、逐一これを自動的に書換えて更新させることで、年をとる度に少しづつ心音波形及び／又は呼吸波形が変化したとしても、本人認証システムを変更することなく正確に判別することができ、しかも、認証速度を向上させることができる。勿論、本システムを用いることで、社員や家族等の健康管理も、個人に知られること無く行うことも可能となる。
【００４５】
尚、上記実施例では、前記心音・呼吸検出センサ２０をコンピュータのマウスＭ等に配設した場合を例にとり説明したが、この発明にあってはこれに限定されるものではなく、例えば、携帯電話、携帯端末、コピー機、ファクシミリ機、プリンター、照明器具、電化製品の身体接触部位に配設することもできる。
【００４６】
また、上記心音・呼吸検出センサ２０は、建物のドアノブに配設して構成したので、本人がドアノブを握持し、本人（心音波形及び／又は呼吸波形パターンが登録されている者）であることが認証された場合にのみ、ドアノブを開錠方向に可動可能とし、或は、ロック装置が開錠動作するように構成することができる。
【００４７】
さらに、上記心音・呼吸検出センサ２０は、電車、自動車、大型建設機械、耕耘機、航空機、船舶、自転車、自動二輪車のギアシャフト、ハンドルその他の身体接触部位に配設することができ、本人（心音波形及び／又は呼吸波形パターンを登録している者）しか当該車両等を運転操作することができなくなり、登録された心音波形及び／又は呼吸波形パターン以外の心音が検出された場合には、当該車両等の電源を自動的にＯＦＦして特定の方法でなければ再起動できないように構成したり、ハンドル等がロックされるように構成することができ、当該車両等の盗難防止及び不正使用を確実に防止することができる。
【００４８】
さらにまた、上記心音・呼吸検出センサ２０は、テレビやエアコン、車両ドア開閉用等の無線式リモコンに配設することができ、本人以外の第三者が操作キィに触れても、登録された心音波形及び／又は呼吸波形パターンと同じ心音及び／又は呼吸が検出され認証された本人のみが正常に信号を発信することができ、もし、異なる心音及び／又は呼吸が検出された場合には、当該操作キィから制御のための信号が発信されず、他人がこれを盗んで使用しても、当該各種機器・器具・システムの作動をコントロールすることができず、これらの不正使用を確実に防止することができる。
【００４９】
尚、上記実施例では、心音波形及び／又は呼吸波形パターンを利用した個人認証を、バイオメトリクスの中の「心音波形及び／又は呼吸波形パターン」で実施する場合を例にとり説明したが、この発明にあってはこれに限定されるものではなく、従来の暗証番号による個人認証、パスワードによる個人認証、指紋や声紋又は虹彩或は顔、署名、指静脈パターン、心電図による心電図波形データのいずれかを利用した生物学的特徴に基づくバイオメトリクスを利用した個人認証システムと組み合わせることで、既存の個人認証システムを廃止することなく本個人認証システムとハイブリット化させることができ、この場合には、既存システムのインフラを活用することができるので、本個人認証システムを少ない設備投資で汎用させることができる。
【００５０】
また、この発明にあっては、前記波形検出装置１０によって検出された本人の心音波形及び／又は呼吸波形パターンピッチが、登録されている心音波形及び／又は呼吸波形パターンピッチと異なるほどに本人が極度に緊張していたり興奮しているときには、本人の心音波形及び／又は呼吸波形パターンであっても、その波形パターンのピッチが平常心のときの心音波形及び／又は呼吸波形パターンのピッチよりも短くなることから、当該個人認証作業を一度中断又は中止し、その旨を警告或は警告音で本人に告知して再度、最初から個人認証を行わしめ、或は、該状態を警察や契約警備会社等の第三者に通報することで、脅迫等による不正使用を未然に防止することができるように構成してもよい。
【図面の簡単な説明】
【００５１】
【図１】本発明に係る心音波形  パターンを利用した個人認証システムを実現するために用いられる波形検出装置のセンサ部の一構成例を示す一部断面平面図である。
【図２】図１に示した心音検出センサの図１Ａ−Ａ線に沿う断面図である。
【図３】図１に示した心音検出センサの図１Ｂ−Ｂ線に沿う断面図である。
【図４】波形検出装置の構成例を示すブロック図である。
【図４】波形検出装置の構成例を示すブロック図である。
【図５】心音波形を示す波形図である。
【図６】呼吸波形および心音波形の検出例である。
【図７】波形検出装置の基本的構成を示すブロック図である。
【図８】波形検出装置をコンピュータのマウスに配設した場合の断面図である。
【図１】
0004257538.tif 000002
【図２】
0004257538.tif 000003
【図３】
0004257538.tif 000004
【図４】
0004257538.tif 000005
【図５】
0004257538.tif 000006
【図６】
0004257538.tif 000007
【図７】
0004257538.tif 000008
【図８】
0004257538.tif 000009